(57)【要約】【課題】遮断器がトリップした際に停止した負荷を迅速に把握するために、遮断器と負荷との接続関係を自動検出する手段を提供し、装置管理業務の負担を減らす。【解決手段】本発明の接続関係管理システムは、電流センサを有する遮断器と、電源スイッチを備え遮断器を介して電力を供給される負荷と、遮断器と負荷との対応関係を保存する接続関係保存部、電流センサで計測した電流値と遮断器を一意に識別する機能とを備える電流監視部、電源スイッチのｏｎ又はｏｆｆの情報と負荷を一意に識別する機能とを備える負荷情報監視部、電流値とｏｎ又はｏｆｆの情報とを保存するデータ保存部及び電流値とｏｎ又はｏｆｆの情報とを用いて負荷と遮断器との接続関係を判定する接続関係判定部を備える管理サーバを備えることを特徴とする。【選択図】図１
2013236485.tif 000002
【特許請求の範囲】
【請求項１】
ｏｎとｏｆｆを切り換えるスイッチを備える遮断器と、
ｏｎとｏｆｆを切り換える電源スイッチを備え、前記遮断器を介して電力を供給される負荷と、
前記遮断器と前記遮断器を介して電力を供給される負荷との対応関係を保存する接続関係保存部を備える管理サーバと
を備える接続関係管理システムにおいて、
前記遮断器は電流を計測する電流センサを備え、
前記管理サーバは、
前記電流センサで計測した電流値を一定期間ごとに取得する機能と、前記電流値を取得された前記電流センサを有する前記遮断器を一意に識別する機能とを備える電流監視部と、
前記電源スイッチのｏｎ又はｏｆｆの情報を一定期間ごとに取得する機能と、前記電源スイッチの前記ｏｎ又はｏｆｆの情報を取得された前記負荷を一意に識別する機能とを備える負荷情報監視部と、
前記電流値と、前記ｏｎ又はｏｆｆの情報とを保存するデータ保存部と、
前記電流値と前記ｏｎ又はｏｆｆの情報とを用いて、前記負荷と前記遮断器との接続関係を判定する接続関係判定部と
を備えることを特徴とする接続関係管理システム。
【請求項２】
前記接続関係の判定は、前記電流値の前記一定期間における変化と、前記ｏｎ又はｏｆｆの情報における前記電源スイッチのｏｎ／ｏｆｆ状態の前記一定期間における変化が同一期間内に発生した場合に、前記電流値が変化した遮断器と、前記ｏｎ／ｏｆｆ状態が変化した前記電源スイッチを有する遮断器とが接続されていると前記接続関係判定部が判定することにより行うことを特徴とする請求項１に記載の接続関係管理システム。
【請求項３】
前記電流値の変化は、前記一定期間内に、前記電流値が予め定めたしきい値を越える又は以下の値になる場合に、発生したと判断することを特徴とする請求項２に記載の接続関係管理システム。
【請求項４】
前記遮断器は、複数の遮断器を収納する機能を備える電流分配装置に収納されていることを特徴とする請求項１に記載の接続関係管理システム。
【請求項５】
前記電流分配装置は、前記電流センサの前記電流値を取得する制御部を格納し、前記管理サーバの前記電流監視部は前記制御部から前記電流値を取得することを特徴とする請求項４に記載の接続関係管理システム。
【請求項６】
前記管理サーバは前記接続関係保存部の情報を表示する表示部を備えている事を特徴とする請求項１乃至５のいずれか１項に記載の接続関係管理システム。
【請求項７】
前記管理サーバは前記接続関係保存部の情報をＰＣや携帯電話等の端末が把握できる形式に変換する機能と、
変換した情報を端末に送信する出力部と
を備えることを特徴とする請求項１乃至６のいずれか１項に記載の接続関係管理システム。
【発明の詳細な説明】
【技術分野】
【０００１】
本発明は、通信ビルやデータセンタなどで用いられる給電システムにおいて、負荷や電流分配装置などの各種装置の管理、運用の効率化に関する。
【背景技術】
【０００２】
データセンタ等で管理されている負荷の給電システムは、負荷に過電流が流れた際に接続ケーブルの焼損が原因となって起こる火災を防止するためにそれぞれの負荷に対して遮断器が取り付けられた構成となっている。
【０００３】
遮断器がトリップした際に停止した負荷を迅速に把握するためには、負荷と遮断器の接続関係を管理する必要がある。
【先行技術文献】
【特許文献】
【０００４】
【特許文献１】特開２００４−２７４９３８号公報
【発明の概要】
【発明が解決しようとする課題】
【０００５】
負荷と遮断器の接続関係を管理する際、負荷が新規に接続されるたびに、分岐の遮断器の配線接続を実際に電気を通電させながらチェックし、負荷と遮断器の接続関係を手作業で記録する必要があり、装置管理業務の負担が大きい。
【課題を解決するための手段】
【０００６】
前記課題を解決するために遮断器と負荷との接続関係を自動検出する手段を提案する。負荷と遮断器の接続関係をシステムで自動的に管理する事が出来れば、装置管理業務の負担を減らすことが可能である。
【０００７】
具体的には、本発明の接続関係管理システムは、ｏｎとｏｆｆを切り換えるスイッチを備える遮断器と、ｏｎとｏｆｆを切り換える電源スイッチを備え、前記遮断器を介して電力を供給される負荷と、前記遮断器と前記遮断器を介して電力を供給される負荷との対応関係を保存する接続関係保存部を備える管理サーバを備える接続関係管理システムであり、前記遮断器は電流を計測する電流センサを有し、前記管理サーバは、前記電流センサで計測した電流値を取得する機能と、前記電流値を取得された前記電流センサを有する前記遮断器を一意に識別する機能とを備える電流監視部と、前記電源スイッチのｏｎ又はｏｆｆの情報を取得する機能と、前記電源スイッチの前記ｏｎ又はｏｆｆの情報を取得された前記負荷を一意に識別する機能とを備える負荷情報監視部と、前記電流値と、前記ｏｎ又はｏｆｆの情報とを保存するデータ保存部と、前記電流値と前記ｏｎ又はｏｆｆの情報とを用いて、前記負荷と前記遮断器との接続関係を判定する接続関係判定部とを備えることを特徴とする。
【０００８】
また、本発明の接続関係管理システムの前記接続関係の判定は、前記電流値の一定期間における変化と、前記ｏｎ又はｏｆｆの情報における前記電源スイッチのｏｎ／ｏｆｆ状態の前記一定期間における変化が同一期間内に発生した場合に、前記電流値が変化した遮断器と、前記ｏｎ／ｏｆｆ状態が変化した前記電源スイッチを有する遮断器とが接続されていると前記接続関係判定部が判定することにより行うことを特徴とする。
【０００９】
また、本発明の接続関係管理システムの前記電流値の変化は、前記一定期間内に、前記電流値が予め定めたしきい値を越える又は以下の値になる場合に、発生したと判断することを特徴とする。
【００１０】
また、本発明の接続関係管理システムの前記遮断器は、複数の遮断器を収納する機能を備える電流分配装置に収納されていることを特徴とする。
【００１１】
また、本発明の接続関係管理システムの前記電流分配装置は、前記電流センサの前記電流値を取得する制御部を格納し、前記管理サーバの前記電流監視部は前記制御部から前記電流値を取得することを特徴とする。
【００１２】
また、本発明の接続関係管理システムの前記管理サーバは、前記接続関係保存部の情報を表示する表示部を備えている事を特徴とする。
【００１３】
また、本発明の接続関係管理システムの前記管理サーバは、前記接続関係保存部の情報をＰＣや携帯電話等の端末が把握できる形式に変換する機能と、変換した情報を端末に送信する出力部とを備えることを特徴とする。
【発明の効果】
【００１４】
このようなシステムを構成することにより、従来は各分岐の遮断器ごとに計測した電流値の、負荷装置を接続した際の変化を作業者が読み取ることにより配線端末が接続されている分岐の遮断器を特定していたのに対して、本願技術のシステムでは、管理サーバが遮断器・負荷にそれぞれIDを付与し、特定の負荷の電源をｏｎした際に電流値の急激な立ち上がりが検出された遮断器を特定し、負荷と遮断器の接続関係を判別・記録することが作業者の操作なしに自動的に行われる。これにより、手作業での記録が不必要となり、装置管理業務の負担を減らすことが可能である。
【図面の簡単な説明】
【００１５】
【図１】本発明の接続関係管理システムの構成の一例を示す図である。
【図２】本発明の接続関係管理システムの構成の他の一例を示す図である。
【図３】図２の接続関係管理システムにおいて、端末にて遠隔からでも接続関係を確認することを可能にした接続関係管理システムの構成の一例を示す図である。
【図４】図２の接続関係管理システムにおいて、本発明における負荷と遮断器の接続関係を判定するためのフローチャートである。
【図５】データ保存部に保存される負荷のIDと電源スイッチの状態、時刻を表した表の一例を示す図である。
【図６】データ保存部に保存される電流分配装置のIDとポート番号、電流値と時刻を表した表の一例を示す図である。
【図７】データ保存部におけるファイル構成を示す図である。
【発明を実施するための形態】
【００１６】
本発明の接続関係管理システムの構成の一例を図１に示す。
【００１７】
本発明の接続関係管理システムは、複数の遮断器１と、複数の負荷４と、管理サーバ６とを備えることを特徴とする。各遮断器１は、スイッチ２と電流センサ３をそれぞれ備え、また、各負荷４は、負荷４自体への給電のｏｎ又はｏｆｆを切り換える電源スイッチ５をそれぞれ備えている。
【００１８】
管理サーバ６は、それぞれの電流センサ３が検出した電流値を取得し、取得した電流値を、その電流値を取得された電流センサを有する遮断器１に関連付ける電流監視部８と、電源スイッチ５のｏｎ又はｏｆｆの情報を取得し、取得したｏｎ／ｏｆｆの情報を、その情報を取得された電源スイッチを有する負荷4に関連付ける負荷情報監視部７とを備える。また、管理サーバ６は、電流監視部８で得た遮断器１に関連付けられた一定期間ごとの電流値と、負荷情報監視部７で得た負荷４に関連付けられた電源スイッチ５のｏｎ又はｏｆｆの一定期間ごとの情報とを保存するデータ保存部９と、負荷４と遮断１との接続関係を保存する接続関係保存部１０を備える。
【００１９】
管理サーバ６は、電源スイッチ５がｏｆｆからｏｎに変化すると遮断器１に流れる電流が急激に大きくなる事を利用して負荷４と遮断器１の接続関係を判定する。
【００２０】
まず、管理サーバ６は、データ保存部９に保存された、各遮断器１の電流センサ３が計測したそれぞれの電流値のうちで、電流値が０付近から電源スイッチ５のｏｎ時における平均電流値に上昇しているものが無いか検索する。この条件に合う電流値のデータが無い場合、電源スイッチ５がｏｆｆからｏｎに変化した負荷は存在しない。この条件に合う電流値のデータがある場合、電源スイッチ５がｏｆｆからｏｎに変化した負荷４は存在する。
【００２１】
次に、管理サーバ６はデータ保存部９を参照し、複数の負荷４のうちから電源スイッチ５がｏｆｆからｏｎに変化している負荷４を検索する。管理サーバ６は、データ保存部９を参照して得られた電源スイッチ５がｏｆｆからｏｎに変化している負荷４と、電流値が急激に上昇した遮断器１とが接続関係にある事を判定し、接続関係保存部１０に保存する。
【００２２】
従来は各分岐の遮断器ごとに計測した電流値の、負荷装置を接続した際の変化を作業者が読み取ることにより配線端末が接続されている分岐の遮断器を特定していたのに対して、本願技術のシステムでは、このように構成することにより、特定の負荷の電源をｏｎした際に電流値の急激な立ち上がりが検出された遮断器を特定し、負荷と遮断器の接続関係を判別・記録することが作業者の操作なしに自動的に行われる。
【００２３】
管理サーバ６が、電流センサ３の電流値と、遮断器１とを関連付ける方法としては、遮断器1にＩＤを付与し、ＩＤを付与した遮断器１に対して電流値を関連付ける方法等がある。また、電源スイッチ５のｏｎ又はｏｆｆの情報と、負荷４とを関連付ける方法としては、負荷4にＩＤを付与し、ＩＤを付与した負荷４に対して電源スイッチ５のｏｎ又はｏｆｆの情報を関連付ける方法等がある。負荷に供えられた電源スイッチのｏｎ／ｏｆｆ情報の取得方法は、機械式でスイッチのｏｎ／ｏｆｆに対応して信号を送っても良いし、電流センサを負荷に取り付けておく事により、電源がｏｎされ電流が急激に大きくなる時点をフラグとしても良い。
【００２４】
本発明の接続関係管理システムの構成の他の一例を図２に示す。
【００２５】
図２における接続関係管理システムの例は、図１における接続関係管理システムと比較して、複数の遮断器１から電流値を取得する機能を備える１つの制御部１１と、複数の遮断器１と１つの制御部１１を収納する機能を備える１つ又はそれより多くの電流分配装置１２を備えた特徴を持つ。制御部１１は、電流センサ３が計測した電流値を取得するポートを、電流分配装置１２に格納できる遮断器1の個数分内蔵している事を特徴とする。これにより電流分配装置に収容される遮断器１の数が多い場合であっても、電流分配装置１２と管理サーバ６とを一本の配線のみで接続することが可能となる。
【００２６】
本接続関係管理システムの例では、電源スイッチ５のｏｎ又はｏｆｆの情報を負荷4と関連付ける方法として、負荷４にＩＤを付与する手段を用いる。また電流値と電流が流れる遮断器１とを関連付ける方法として、電流分配装置１２にＩＤを付与し、制御部１１の各ポートに対してどの遮断器１を接続するかを予め決めておく事により、電流分配装置１２のＩＤとポート番号を指定する事により遮断器１を一意に特定する手段を用いる。
【００２７】
また、管理サーバ６は、接続関係保存部１０の情報を表示する表示部を備える。さらに、図３に示すように、管理サーバ６が、接続関係保存部１０の情報をＰＣや携帯電話等の端末が読み取れる形式に変換し、変換した情報を送信する出力部を備える。変換した情報を送信する出力部を持つことにより、遠隔からでも負荷４と遮断器１の接続関係を端末にて確認する事が可能となる。
【００２８】
次に、図２に記載の接続関係管理システムの接続関係の検出のフローチャートを図４に示す。
【００２９】
はじめに、管理サーバ６は接続されている全ての負荷４のＩＤおよび各々の電源スイッチ５のｏｎ又はｏｆｆの情報を負荷情報監視部７で取得する。管理サーバ６は接続されている全ての負荷４のＩＤとそれに関連付けられた電源スイッチ５のｏｎ又はｏｆｆの情報をデータ保存部９のＮｅｗフォルダにおける負荷情報ファイルに、保存する時間と共に保存する。データ保存部９における保存イメージを図５に示す。図５は負荷４のＩＤごとに電源スイッチ５のｏｎ又はｏｆｆの情報と時刻が整理されている事を特徴とする。
【００３０】
次に、管理サーバ６は制御部１１の全てのポート番号と計測した電流値とを電流分配装置１２のＩＤと共に電流監視部８で取得する。管理サーバ６は電流分配装置１２のＩＤと各ポートの電流値をデータ保存部９のＮｅｗフォルダにおける制御部情報ファイルに、保存する時間と共に保存する。データ保存部９における保存イメージを図６に示す。図６は電流分配装置１２のＩＤごとに制御部１１のポート番号と電流値と時刻が整理されている事を特徴とする。
【００３１】
次に、接続関係の検出について説明する。
【００３２】
まず、開始ステップ４０１で開始し、データ保存部９のNewフォルダにおける負荷情報ファイルと制御部情報ファイルに保存されているデータをデータ保存部９のＯｌｄフォルダにおける負荷情報ファイルと制御部情報ファイルに上書きし（ステップ４０２）、上記の負荷４のＩＤおよび各々の電源スイッチ５のｏｎ又はｏｆｆの情報を取得し、データ保存部のＮｅｗフォルダにおける負荷情報ファイルに保存する（ステップ４０３）。ここで、それぞれの負荷４のＩＤをID_Loadと表現する。
【００３３】
次に、電流分配装置１２のＩＤと各ポートの電流値を取得し、Ｎｅｗフォルダにおける制御情報ファイルに保存する（ステップ４０３）。ここで、電流分配装置１２のＩＤをID_Frameとし、ポート番号をmとした場合に、Ｎｅｗフォルダに保存されている電流値をi(New,ID_Frame, m)、Ｏｌｄフォルダに保存されている電流値をi(Old,ID_Frame, m)と表現する。
【００３４】
次に、遮断器に電流が流れたかを確認するために、管理サーバ６はデータ保存部９に保存されている電流値で、各電流分配装置１２のＩＤの各ポート番号ごとにＮｅｗフォルダに保存された電流値とＯｌｄフォルダに保存された電流値を取得し、取得した電流値を、負荷４の通電を判定するために設定されたしきい値と比較する。ここで、しきい値はｚとして、管理サーバ６が以下の式（１）、式（２）の条件を満たすID_Frameとｍが存在するかデータ保存部９を参照して検索することにより比較を行う（ステップ４０５）。
i(New,ID_Frame,m) > z                          （１）
i(Old,ID_Frame,m) < z                          （２）
式（１）は遮断器１に接続されている負荷４が通電されているかを判別するための式であり、式（２）は遮断器１に接続されている負荷４が通電されていないかを判別するための式である。
【００３５】
しきい値zは、負荷４の通電を判定できる値であれば良い。また、式（１）、式（２）で異なるしきい値を用いても良い。ここでは一例として、負荷４の電源スイッチ５がｏｎ状態の時に電流センサ３にて計測される電流の平均値をi_aveとして、しきい値ｚを式（３）のように定義する．
z = i_ave / 2                                        （３）
ここで、式（１）、式（２）を満たすID_Frameとｍが存在しない時、電源スイッチ５がｏｎとなった負荷４が存在しない事となるため、開始ステップ４０１に戻り、その後、ステップ４０３において、負荷４のＩＤと電源スイッチ５のｏｎ又はｏｆｆの状態を取得する処理を再度行う。
【００３６】
式（１）、式（２）を満たすID_Frameとｍが存在する時、電源スイッチ５がｏｆｆからｏｎとなった負荷4が存在する事になるため、管理サーバ６は電源スイッチ５がｏｆｆからｏｎになった負荷4のＩＤを検索する（ステップ４０６）。具体的には、Ｎｅｗフォルダにおける負荷情報ファイルの電源スイッチがｏｎで、かつＯｌｄフォルダにおける負荷情報ファイルの電源スイッチがｏｆｆの条件を満たすID_Loadを検索する。管理サーバ６は、検索して得られた負荷のＩＤと式（１）、式（２）の条件を満たすID_Frame、ｍが接続関係にある事を判別する。管理サーバ６は判別した接続関係を接続関係保存部１０に保存する（ステップ４０７）。
【００３７】
その後、さらに接続関係の検出を行う場合には、システムを落とさず開始ステップ４０１に戻り（ステップ４０８）、接続関係の検出を行う必要がない場合には、システムを落として（ステップ４０８）、接続関係の検出を終了する（ステップ４０９）。
【００３８】
なお、負荷４のＩＤおよび各々の電源スイッチ５のｏｎ又はｏｆｆの情報及び電流分配装置１２のＩＤと各ポートの電流値の取得及びＮｅｗフォルダへの保存を行う間隔としては、間隔があまりにも短いと電源がｏｎになっても取得する電流値の差がとても小さくなる可能性があり、また管理サーバの負荷が大きくなりすぎる恐れがある。一方、間隔が長すぎると前後２回の測定の間に複数の負荷のスイッチが操作され、負荷と遮断器の関連を判断することができなくなる恐れがあるので、システムの最適な動作が実現されるように、適宜測定間隔を調整する。また、もしも測定間隔内で2台以上の負荷の電源が操作された場合はエラーを返す。
【符号の説明】
【００３９】
１    遮断器
２    スイッチ
３    電流センサ
４    負荷
５    電源スイッチ
６    管理サーバ
７    負荷情報監視部
８    電流監視部
９    データ保存部
１０  接続関係保存部
１１  制御部
１２  電流分配装置
１３  端末
【図１】
2013236485.tif 000003
【図２】
2013236485.tif 000004
【図３】
2013236485.tif 000005
【図４】
2013236485.tif 000006
【図５】
2013236485.tif 000007
【図６】
2013236485.tif 000008
【図７】
2013236485.tif 000009